【手続補正書】
【提出日】平成27年11月5日(2015.11.5)
【手続補正１】
【補正対象書類名】特許請求の範囲
【補正対象項目名】全文
【補正方法】変更
【補正の内容】
【特許請求の範囲】
【請求項１】
ｘ線で患者の乳房を造影するために圧迫パドルと乳房プラットフォームとの間で前記乳房を圧迫するための前記プラットフォームへの移動のために支持された前記パドルに取り外し可能に固定されるように構成された膨張性ジャケットであって、前記圧迫パドルが、前記患者の乳房をｘ線で造影している間に、前記患者の胸部に隣接するように構成された前部壁を有し、前記圧迫パドルの下面に沿って延在し少なくとも１つの膨張性チャンバーを形成する２倍の厚さの底部を含む、膨張性ジャケットと、
前記膨張性チャンバーと流体連通している流体導管と、
前記導管および／またはチャンバーに連結され、前記チャンバーを選択的に膨張させる流体制御部と、
を含み、
前記乳房のｘ線造影のために、前記膨張されたチャンバーが、前記圧迫パドルと前記患者の乳房の間に残留する、
ｘ線で乳房を造影する装置。
【請求項２】
前記膨張性ジャケットが、前記圧迫パドルの側部壁に隣接する側部を更に含む、請求項１に記載の装置。
【請求項３】
前記膨張性ジャケットが、前記圧迫パドルの前部壁に隣接する前部を更に含む、請求項１に記載の装置。
【請求項４】
前記膨張性ジャケットが、前記圧迫パドルの前部壁および側部壁の１つ以上にジャケットを着脱可能に挟むように構成されたクリッピング部材を更に含む、請求項１に記載の装置。
【請求項５】
前記ジャケットが、前記圧迫パドルの前部壁および側部壁の１つ以上の上方に延在し、前記クリッピング部材内に端部を有する、前部壁および側部壁の１つ以上を含む、請求項４に記載の装置。
【請求項６】
使用の際に前記圧迫パドルに対向する前記ジャケット底部の表面が、前記ジャケットを前記圧迫パドルの下面に着脱可能に接着させる接着材料を更に含む、請求項１に記載の装置。
【請求項７】
使用の際に患者の乳房に対向する前記ジャケットの表面が、前記表面と前記乳房の間の摩擦を増強するように構成された摩擦増強表面を更に含む、請求項１に記載の装置。
【請求項８】
前記摩擦増強表面が、内部または表面に粘着性物質を有するジャケット表面を含む、請求項７に記載の装置。
【請求項９】
使用の際に前記圧迫パドルと前記乳房の間にある前記ジャケットの部分が、可視光に透過性であり、それによりｘ線造影のために患者の乳房を調整する技師が、前記ジャケットを通して前記乳房を目視することができる、請求項１に記載の装置。
【請求項１０】
前記ジャケットが、ビニル材料を含む、請求項１に記載の装置。
【請求項１１】
前記ジャケットが、前記ｘ線ビームを十分に減衰する材料の標識を含み、前記ｘ線画像において可視性になる、請求項１に記載の装置。
【請求項１２】
前記チャンバーが、個別に膨張性である２つ以上のサブチャンバーに分割されている、請求項１に記載の装置。
【請求項１３】
前記ジャケットが、前記圧迫パドルの前部壁と下面の間の接合部に沿って延在する少なくとも一部で継ぎ合わせられた可撓性シート材料の２層を含む、請求項１に記載の装置。
【請求項１４】
前記ジャケットが、膨張性でない前部壁および側部壁を含む、請求項１に記載の装置。
【請求項１５】
前記ジャケットの前記前部壁が、前記圧迫パドルの前部壁よりも垂直方向に短い、請求項１４に記載の装置。
【請求項１６】
造影ｘ線ビームを選択的に発するｘ線発生部と、前記ビームを受け取り、それに応答してｘ線造影情報を生成する画像受像部と、前記発生部と前記受像部の間にあり、前記乳房プラットフォームおよび前記圧迫パドルを含む乳房固定具と、を含むデータ取得部と、
前記画像受像部に連結され、前記造影情報を受信してｘ線画像を生成するように構成された画像処理部と、
前記データ取得部と前記流体制御部と前記画像処理部とに連結され、操作者の入力情報に応答して操作を制御するように構成された、ワークステーションおよびシステム制御部と、
を更に含む、請求項１に記載の装置。
【請求項１７】
患者の乳房を支持するための乳房プラットフォームと、パドルジャケットを通して前記乳房を圧迫するための圧迫パドルであって、前記パドルジャケットは、圧迫パドルの底部に沿って延在する膨張性底部と、前記圧迫パドルの前部壁および側部壁に沿った前部および側部部分と、を含む、圧迫パドルと、
前記ジャケットの前記膨張性底部を前記患者の乳房に対して選択的に膨張させるための手段と、
前記圧迫された乳房をｘ線で造影するための手段と、
前記乳房のｘ線画像を生成するための手段と、
を含む、ｘ線で患者の乳房を造影するためのシステム。
【請求項１８】
前記患者の乳房を圧迫する前に、前記ジャケットは前記圧迫パドルに取り外し可能に固定される、請求項１７に記載のシステム。
【請求項１９】
前記ジャケットの底部ならびに前部および側部の１つ以上を、前記圧迫パドルの下面および各壁の１つ以上に接着させることによって、前記ジャケットは前記圧迫パドルに取り外し可能に固定される、請求項１７に記載のシステム。
【請求項２０】
前記ジャケットの前部壁および側部壁の１つ以上を、前記圧迫パドルの１つ以上の各壁に挟むことによって、前記ジャケットは前記圧迫パドルに取り外し可能に固定される、請求項１７に記載のシステム。
【請求項２１】
前記ジャケット底部の２つ以上の部分は、個別に膨張可能であるように構成されている、請求項１７に記載のシステム。
【請求項２２】
前記患者の乳房に面した前記ジャケットの１つ以上の部分は、前記患者の皮膚との摩擦を増大する摩擦増強表面を有する、請求項１７に記載のシステム。
【手続補正２】
【補正対象書類名】明細書
【補正対象項目名】００１１
【補正方法】変更
【補正の内容】
【００１１】
本発明は、例えば、以下を提供する：
（項目１）
ｘ線で患者の乳房を造影するために圧迫パドルと乳房プラットフォームとの間で前記乳房を圧迫するための前記プラットフォームへの移動のために支持された前記パドルに取り外し可能に固定されるように構成された膨張性ジャケットであって、前記圧迫パドルが、前記患者の乳房をｘ線で造影している間に、前記患者の胸部に隣接するように構成された前部壁を有し、前記圧迫パドルの下面に沿って延在し少なくとも１つの膨張性チャンバーを形成する２倍の厚さの底部を含む、膨張性ジャケットと、
前記膨張性チャンバーと流体連通している流体導管と、
前記導管および／またはチャンバーに連結され、前記チャンバーを選択的に膨張させる流体制御部と、
を含み、
前記乳房のｘ線造影のために、前記膨張されたチャンバーが、前記圧迫パドルと前記患者の乳房の間に残留する、
ｘ線で乳房を造影する装置。
（項目２）
前記膨張性ジャケットが、前記圧迫パドルの側部壁に隣接する側部を更に含む、項目１に記載の装置。
（項目３）
前記膨張性ジャケットが、前記圧迫パドルの前部壁に隣接する前部を更に含む、項目１に記載の装置。
（項目４）
前記膨張性ジャケットが、前記圧迫パドルの前部壁および側部壁の１つ以上にジャケットを着脱可能に挟むように構成されたクリッピング部材を更に含む、項目１に記載の装置。
（項目５）
前記ジャケットが、前記圧迫パドルの前部壁および側部壁の１つ以上の上方に延在し、前記クリッピング部材内に端部を有する、前部壁および側部壁の１つ以上を含む、項目４に記載の装置。
（項目６）
使用の際に前記圧迫パドルに対向する前記ジャケット底部の表面が、前記ジャケットを前記圧迫パドルの下面に着脱可能に接着させる接着材料を更に含む、項目１に記載の装置。
（項目７）
使用の際に患者の乳房に対向する前記ジャケットの表面が、前記表面と前記乳房の間の摩擦を増強するように構成された摩擦増強表面を更に含む、項目１に記載の装置。
（項目８）
前記摩擦増強表面が、内部または表面に粘着性物質を有するジャケット表面を含む、項目７に記載の装置。
（項目９）
使用の際に前記圧迫パドルと前記乳房の間にある前記ジャケットの部分が、可視光に透過性であり、それによりｘ線造影のために患者の乳房を調整する技師が、前記ジャケットを通して前記乳房を目視することができる、項目１に記載の装置。
（項目１０）
前記ジャケットが、ビニル材料を含む、項目１に記載の装置。
（項目１１）
前記ジャケットが、前記ｘ線ビームを十分に減衰する材料の標識を含み、前記ｘ線画像において可視性になる、項目１に記載の装置。
（項目１２）
前記チャンバーが、個別に膨張性である２つ以上のサブチャンバーに分割されている、項目１に記載の装置。
（項目１３）
前記ジャケットが、前記圧迫パドルの前部壁と下面の間の接合部に沿って延在する少なくとも一部で継ぎ合わせられた可撓性シート材料の２層を含む、項目１に記載の装置。
（項目１４）
前記ジャケットが、膨張性でない前部壁および側部壁を含む、項目１に記載の装置。
（項目１５）
前記ジャケットの前記前部壁が、前記圧迫パドルの前部壁よりも垂直方向に短い、項目１４に記載の装置。
（項目１６）
造影ｘ線ビームを選択的に発するｘ線発生部と、前記ビームを受け取り、それに応答してｘ線造影情報を生成する画像受像部と、前記発生部と前記受像部の間にあり、前記乳房プラットフォームおよび前記圧迫パドルを含む乳房固定具と、を含むデータ取得部と、
前記画像受像部に連結され、前記造影情報を受信してｘ線画像を生成するように構成された画像処理部と、
前記データ取得部と前記流体制御部と前記画像処理部とに連結され、操作者の入力情報に応答して操作を制御するように構成された、ワークステーションおよびシステム制御部と、
を更に含む、項目１に記載の装置。
（項目１７）
患者の乳房を乳房プラットフォーム上で支持して、圧迫パドルの底部に沿って延在する膨張性底部と、前記圧迫パドルの前部壁および側部壁に沿った前部および側部部分と、を含むパドルジャケットを通して、前記乳房を前記圧迫パドルで圧迫することと、
前記ジャケットの前記膨張性底部を前記患者の乳房に対して選択的に膨張させることと、
前記圧迫された乳房をｘ線で造影することと、
前記乳房のｘ線画像を生成することと、
を含む、ｘ線で患者の乳房を造影する方法。
（項目１８）
前記患者の乳房を圧迫する前に、前記ジャケットを前記圧迫パドルに取り外し可能に固定することを更に含む、項目１７に記載の方法。
（項目１９）
前記固定することが、前記ジャケットの底部ならびに前部および側部の１つ以上を、前記圧迫パドルの下面および各壁の１つ以上に接着させることを含む、項目１７に記載の方法。
（項目２０）
前記固定することが、前記ジャケットの前部壁および側部壁の１つ以上を、前記圧迫パドルの１つ以上の各壁に挟むことを含む、項目１７に記載の方法。
（項目２１）
前記ジャケット底部の２つ以上の部分を個別に膨張させることを更に含む、項目１７に記載の方法。
（項目２２）
前記患者の乳房に面した前記ジャケットの１つ以上の部分に、前記患者の皮膚との摩擦を増大する摩擦増強表面を設けることを更に含む、項目１７に記載の方法。
マンモグラフィーおよび／または乳房トモシンセシスにおけるそのような新規な手法の非限定的な一例は、乳房圧迫力を制御、分配および再指向するために特別に適合されたデバイスの使用を含む。好ましくは、該デバイスは、圧迫パドルのために膨張性ジャケットを含む。